(57)【要約】【課題】遠隔制御ユニットが故障した場合に使用者が被る不利益を低減することができる光受信装置を提供する。【解決手段】互いに分離可能な本体ユニット１０と遠隔制御ユニット３０とを有し、遠隔制御コマンドが遠隔制御ユニット３０の副マイコン３２のポートＰ１０から本体ユニット１０の主マイコン１９のポートＰ６に送信されない期間が閾値を越えると、不揮発性メモリ２０に記憶されている設定の内容（本体ユニット１０から出力される信号への制限の有無）にかかわらず、本体ユニット１０から出力される信号に制限をかける光受信装置。このような光受信装置によると、遠隔制御ユニット３０が故障しても、上記期間が上記閾値を越える迄は上記制限が猶予されるので、使用者が被る不利益を低減することができる。【選択図】図３
2010034956.tif 000002
【特許請求の範囲】
【請求項１】
受信した放送用光信号を電気信号に変換する機能を有する本体ユニットと、遠隔制御機能の少なくとも一部を分担している遠隔制御ユニットとを有し、
前記本体ユニットと前記遠隔制御ユニットとが互いに分離可能であり、
前記本体ユニットが、
前記本体ユニットから出力される信号に制限をかけるか否かの設定を記憶する記憶部と、
前記本体ユニットに前記遠隔制御ユニットが装着された状態で前記遠隔制御ユニットから送信されてきた遠隔制御コマンドに基づいて、前記記憶部が前記設定を更新するように、前記記憶部を制御する制御部と、
前記遠隔制御コマンドが前記遠隔制御ユニットから前記本体ユニットに送信されない期間が閾値を越えていない場合、前記設定が制限をかける内容であれば、前記本体ユニットから出力される信号に制限をかけ、前記設定が制限をかけない内容であれば、前記本体ユニットから出力される信号に制限をかけず、前記遠隔制御コマンドが前記遠隔制御ユニットから前記本体ユニットに送信されない期間が前記閾値を越えると、前記設定の内容にかかわらず、前記本体ユニットから出力される信号に制限をかける制限部とを備えることを特徴とする光受信装置。
【請求項２】
前記本体ユニットに前記遠隔制御ユニットが装着されていないときに非グランド電位となり、前記本体ユニットに前記遠隔制御ユニットが装着されているときにグランド電位となる電圧を検出することにより、前記本体ユニットに前記遠隔制御ユニットが装着されているか否かを判定する装着判定部を前記本体ユニットが備え、
前記装着判定部によって、前記本体ユニットに前記遠隔制御ユニットが装着されていると判定されているときに、前記制御部及び前記制限部を動作させる請求項１に記載の光受信装置。
【請求項３】
前記本体ユニットに送信されない期間が前記閾値よりも小さい所定値を越えると、前記遠隔制御ユニットの故障を報知するための信号を生成する信号生成部を前記本体ユニットが備える請求項１又は請求項２に記載の光受信装置。
【請求項４】
前記遠隔制御ユニットの故障を報知するための表示部を前記本体ユニットが備え、前記信号生成部が生成した信号に応じて前記表示部が駆動する請求項３に記載の光受信装置。
【請求項５】
前記電気信号と前記信号生成部が生成した信号とを混合する混合器を前記本体ユニットが備える請求項３に記載の光受信装置。
【発明の詳細な説明】
【技術分野】
【０００１】
本発明は、光伝送システムの加入者側に設置され、受信した放送用光信号を電気信号に変換する光受信装置（V-ONU:Video-Optical Network Unit:放送用光加入者端末装置）に関する。
【背景技術】
【０００２】
従来、光伝送システムにおいて、遠隔制御機能を有していないV-ONUが用いられてきた（例えば、特許文献１〜３参照）。遠隔制御機能を有していないV-ONUを用いている光伝送システムでは、料金未払いなどの放送サービス提供停止事由が発生したときは、放送サービス事業者の担当者が加入者宅を訪問し、加入者宅でV-ONUからＲＦ（Radio Frequency）信号が出力されないようにする作業をV-ONUに対して行い、V-ONUからのＲＦ信号出力を物理的にカットしている。
【０００３】
一方、近年、日本ケーブルラボがV-ONU遠隔制御運用仕様（JCL SPEC-014 1.0版）を制定したことから、今後、遠隔制御機能を有しているV-ONUの普及が進むものと考えられる。遠隔制御機能を有するV-ONUは、光伝送システムのセンタ側にて各V-ONUの放送サービスの停止・再開を遠隔制御することができる。このため、料金未払いなどの放送サービス提供停止事由が発生したときに、放送サービス事業者の担当者による加入者宅への訪問が不要になり放送サービス事業者の人的・時間的負担が軽減されるとともに、放送サービス事業者の担当者が顧客（加入者）と対峙しなくても良いので放送サービス事業者の担当者と顧客（加入者）との間のトラブルを防止することができるというメリットがある。
【０００４】
ここで、遠隔制御機能を有するV-ONUの形態として、本体ユニットと遠隔制御ユニットとを有し両者を分離可能とする構成が考えられる。このような構成によると、本体ユニットのみを用いた場合は遠隔制御機能を有していないV-ONUとして利用でき、本体ユニットに遠隔制御ユニットを装着した場合は遠隔制御機能を有するV-ONUとして利用でき、V-ONUを遠隔制御する光伝送システム、V-ONUを遠隔制御しない光伝送システム双方に対応することができる。
【０００５】
【特許文献１】特開２００７−２８８３８４号公報（段落００２２、第２図）
【特許文献２】特開２００７−１２４１７５号公報（段落００３４、段落００３５、第４図）
【特許文献３】実用新案登録第３１３４７６２号公報（要約）
【発明の開示】
【発明が解決しようとする課題】
【０００６】
しかしながら、遠隔制御機能を有するV-ONUを、本体ユニットと遠隔制御ユニットとを有し両者を分離可能とする構成にした場合、遠隔制御ユニットの故障により、本体ユニットが故障していないにもかかわらず放送を視聴することができなくなる可能性がある。
【０００７】
本発明は、上記の状況に鑑み、遠隔制御ユニットが故障した場合に使用者が被る不利益を低減することができる光受信装置を提供することを目的とする。
【課題を解決するための手段】
【０００８】
上記目的を達成するために本発明に係る光受信装置は、受信した放送用光信号を電気信号に変換する機能を有する本体ユニットと、遠隔制御機能の少なくとも一部を分担している遠隔制御ユニットとを有し、前記本体ユニットと前記遠隔制御ユニットとが互いに分離可能であり、前記本体ユニットが、前記本体ユニットから出力される信号に制限をかけるか否かの設定を記憶する記憶部と、前記本体ユニットに前記遠隔制御ユニットが装着された状態で前記遠隔制御ユニットから送信されてきた遠隔制御コマンドに基づいて、前記記憶部が前記設定を更新するように、前記記憶部を制御する制御部と、前記遠隔制御コマンドが前記遠隔制御ユニットから前記本体ユニットに送信されない期間が閾値を越えていない場合、前記設定が制限をかける内容であれば、前記本体ユニットから出力される信号に制限をかけ、前記設定が制限をかけない内容であれば、前記本体ユニットから出力される信号に制限をかけず、前記遠隔制御コマンドが前記遠隔制御ユニットから前記本体ユニットに送信されない期間が前記閾値を越えると、前記設定の内容にかかわらず、前記本体ユニットから出力される信号に制限をかける制限部とを備える構成とする。
【０００９】
このような構成によると、遠隔制御ユニットが故障して遠隔制御ユニットから本体ユニットに遠隔制御コマンドが送信されない状態になっても、遠隔制御コマンドが遠隔制御ユニットから本体ユニットに送信されない期間が閾値を越える迄は制限が猶予されるので、遠隔制御ユニットが故障した途端に放送の視聴が不可能になる事態を回避することができる。したがって、遠隔制御ユニットが故障した場合に使用者が被る不利益を低減することができる。
【００１０】
また、上記構成の光受信装置において、前記本体ユニットに前記遠隔制御ユニットが装着されていないときに非グランド電位となり、前記本体ユニットに前記遠隔制御ユニットが装着されているときにグランド電位となる電圧を検出することにより、前記本体ユニットに前記遠隔制御ユニットが装着されているか否かを判定する装着判定部を前記本体ユニットが備え、前記装着判定部によって、前記本体ユニットに前記遠隔制御ユニットが装着されていると判定されているときに、前記制御部及び前記制限部を動作させるようにしてもよい。
【００１１】
このような構成によると、遠隔制御ユニット側で装着認識用の電圧を発生させる必要がないため、遠隔制御ユニットが故障している場合であっても、本体ユニットに遠隔制御ユニットが装着されているときにその装着を正しく認識することができる。また、本体ユニットに遠隔制御ユニットが装着されていると判定されているときに、制御部及び制限部を動作させているので、本体ユニットに遠隔制御ユニットが装着されていないときに、本体ユニットのみを利用し、遠隔制御機能を使用しない運用も行い得る。
【００１２】
また、上記各構成の光受信装置において、前記本体ユニットに送信されない期間が前記閾値よりも小さい所定値を越えると、前記遠隔制御ユニットの故障を報知するための信号（コマンドを含む。）を生成する信号生成部を前記本体ユニットが備えるようにしてもよい。この場合、例えば、前記遠隔制御ユニットの故障を報知するための表示部を前記本体ユニットが備え、前記信号生成部が生成した信号に応じて前記表示部が駆動するようにしてもよく、前記電気信号と前記信号生成部が生成した信号とを混合する混合器を前記本体ユニットが備えるようにしてもよい。
【００１３】
このような構成によると、遠隔制御ユニットの故障を報知することが可能になるので、遠隔制御コマンドが遠隔制御ユニットから本体ユニットに送信されない期間が閾値を越える迄の間に、加入者が遠隔制御ユニットの故障に対して適切な対処（例えば放送サービス事業者の保守サービスの利用等）を講じることができる。これにより、遠隔制御ユニットが故障した場合に使用者が被る不利益をより一層低減することができる。
【発明の効果】
【００１４】
本発明に係る光受信装置によると、遠隔制御ユニットが故障して遠隔制御ユニットから本体ユニットに遠隔制御コマンドが送信されない状態になっても、遠隔制御コマンドが遠隔制御ユニットから本体ユニットに送信されない期間が閾値を越える迄は制限が猶予されるので、遠隔制御ユニットが故障した途端に放送の視聴が不可能になる事態を回避することができる。したがって、遠隔制御ユニットが故障した場合に使用者が被る不利益を低減することができる。
【発明を実施するための最良の形態】
【００１５】
本発明の実施形態について図面を参照して以下に説明する。
【００１６】
＜光伝送システム＞
本発明に係る光受信装置を用いるＣＡＴＶ用光伝送システムの一概略構成例を図１に示す。
【００１７】
図１に示す光伝送システムは、V-ONU遠隔制御用パーソナルコンピュータ（以下、V-ONU遠隔制御用パソコンという）１と、ＦＳＫ（Frequency Shift Keying）変調器２と、混合器３と、光送信器４と、光ファイバ５と、光分岐器６と、光ファイバ７−１〜７−ｎと、V-ONU８−１〜８−ｎと、テレビ受信機９−１〜９−ｎとからなる。
【００１８】
V-ONU遠隔制御用パソコン１と、ＦＳＫ変調器２と、混合器３と、光送信器４とはセンタ局に設置され、光分岐器６は伝送線路中に設置され、V-ONU８−１〜８−ｎと、テレビ受信機９−１〜９−ｎとは各加入者宅に設置される。尚、光分岐器６はセンタ局に設置してもよい。
【００１９】
V-ONU遠隔制御用パソコン１は、V-ONU遠隔制御用ソフトウェアを内部の記憶部（不図示）に格納しており、そのV-ONU遠隔制御用ソフトウェアを実行することで、固有のアドレスが各々に付与されているV-ONU８−１〜８−ｎに対応する遠隔制御信号を周期的に生成し、その遠隔制御信号をＦＳＫ変調器２に出力する。ＦＳＫ変調器２は、V-ONU遠隔制御用パソコン１からの遠隔制御信号をＦＳＫ変調して混合器３に送出する。遠隔制御信号の内容は、V-ONU８−１〜８−ｎに付与されているアドレス毎に、V-ONUからのＲＦ信号出力をＯＮ設定にするかＯＦＦ設定にするかが決められている。
【００２０】
混合器３は、ＴＶ信号であるＲＦ信号と、ＦＳＫ変調器２からのＦＳＫ変調された遠隔制御信号とを混合した混合信号を光送信器４に出力する。光送信器４は、混合器３からの混合信号を光信号に変換し、その光信号を光ファイバ５経由で光分岐器６に伝送する。光送信器４は、例えば、混合器３からの混合信号の変化に応じて光変調度を調整した後、レーザーダイオードにより混合器３からの混合信号を光信号に変換している。
【００２１】
光分岐器６は、光ファイバ５によって伝送されてきた光信号をｎ（ｎは自然数）分岐して各光ファイバ７−１〜７−ｎ経由で各加入者宅の各V-ONU８−１〜８−ｎに伝送する。各加入者宅の各V-ONU８−１〜８−ｎは、受け取った光信号を電気信号に変換し、その電気信号に含まれているＲＦ信号を各加入者宅の各同軸ケーブルを介して各加入者宅の各テレビ受信機９−１〜９−ｎに伝送する。
【００２２】
＜V-ONU＞
V-ONU８−１〜８−ｎはそれぞれ、本発明に係る光受信装置であって、本体ユニット１０と遠隔制御ユニット３０とを有する構成である。遠隔制御ユニット３０が本体ユニット１０に装着されていない場合は図２に示すようになり、遠隔制御ユニット３０が本体ユニット１０に装着されている場合は図３に示すように本体ユニット１０の端子２４〜２６それぞれと遠隔制御ユニット３０の端子３４〜３６それぞれとが接続される。図３に示すように遠隔制御ユニット３０が本体ユニット１０に装着されている場合にセンタ局からの遠隔制御が可能となる。
【００２３】
本体ユニット１０は、光コネクタ１１と、光コネクタ１１からの光信号を電気信号に変換する機能と、その電気信号をＴＶ信号であるＲＦ信号とＦＳＫ変調された遠隔制御信号とに分離する機能を有する光検出部１２と、光検出部１２からのＲＦ信号を増幅するアンプ１３と、アンプ１３からのＲＦ信号のゲインを調整する第１ゲイン制御部１４と、第１ゲイン制御部１４からのＲＦ信号を増幅するアンプ１５と、アンプ１５からのＲＦ信号のゲインを調整する第２ゲイン制御部１６と、第２ゲイン制御部１６からのＲＦ信号を増幅するアンプ１７と、アンプ１７からのＲＦ信号を出力する同軸ケーブル接続用コネクタ１８と、主マイクロコンピュータ（以下、主マイコンという）１９と、Ｄ／Ａコンバータ２１と、第１ＬＥＤ（Light Emitting Diode）駆動部２２と、受光レベル表示用ＬＥＤ２３と、第２ＬＥＤ駆動部４１と、遠隔制御ユニット３０が故障していることを使用者に報知するための故障報知用ＬＥＤ２９と、端子２４〜２６と、電源端子２７と、電源制御部２８とを備えている。主マイコン１９は、不揮発性メモリ（例えばフラッシュメモリ）２０と、ピンＰ１〜Ｐ７とを備えている。尚、本体ユニット１０においては、不揮発性メモリ２０が、本発明に係る光受信装置の「記憶部」（［課題を解決するための手段］の記載参照）として機能しており、主マイコン１９が、本発明に係る光受信装置の「制御部」、「制限部」、「装着判定部」、及び「信号生成部」（［課題を解決するための手段］の記載参照）として機能している。
【００２４】
主マイコン１９は、光検出部１２が入力した光信号の受光レベルに関する情報をポートＰ１で受け取り、その受光レベルに応じた第１ＬＥＤ駆動制御信号をポートＰ４から第１ＬＥＤ駆動部２２に出力し、その受光レベルに応じたゲイン調整信号をポートＰ３からＤ／Ａコンバータ２１に出力する。第１ＬＥＤ駆動部２２は、その第１ＬＥＤ駆動制御信号に従って、受光レベル表示用ＬＥＤ２３を駆動する。Ｄ／Ａコンバータ２１は、ゲイン調整信号をデジタル信号からアナログ信号に変換し、第１ゲイン制御部１４及び第２ゲイン制御部１６に供給する。第１ゲイン制御部１４及び第２ゲイン制御部１６はそれぞれゲイン調整信号に従ってゲインを調整する。
【００２５】
また、主マイコン１９は、ポートＰ２からの制御信号により、電源制御部２８を制御する。電源制御部２８は、ポートＰ２からの制御信号に従って、アンプ１３、１５、１７及び第１ゲイン制御部１４、第２ゲイン制御部１６への電源供給をＯＮ／ＯＦＦさせている。電源供給をＯＮさせる場合、電源制御部２８は、電源端子２７を介して電源部４０より供給された電力を、アンプ１３、１５、１７及び第１ゲイン制御部１４、第２ゲイン制御部１６に供給する。これにより、V-ONUからのＲＦ信号出力がＯＮ設定になる。一方、電源供給をＯＦＦさせる場合、電源制御部２８は、電源端子２７を介して電源部４０より供給された電力を、アンプ１３、１５、１７及び第１ゲイン制御部１４、第２ゲイン制御部１６に供給しない。これにより、V-ONUからのＲＦ信号出力がＯＦＦ設定になる。
【００２６】
また、主マイコン１９は、本体ユニット１０に遠隔制御ユニット３０が装着されている場合に副マイコン３２のポートＰ１０からポートＰ６に供給される遠隔制御コマンドを不揮発性メモリ２０に格納する。
【００２７】
また、主マイコン１９は、ポートＰ７の電圧に基づいて、本体ユニット１０に遠隔制御ユニット３０が装着されているか否かを判断している。例えば、端子２５と端子３５とが接続されていないときはポートＰ７に所定（非グランド電位）の電圧がかかり、端子２５と端子３５とが接続されているときはポートＰ７がグランドに落ちるようにする実施態様が考えられる。
【００２８】
また、遠隔制御ユニット３０は、ＦＳＫ復調器３１と、副マイクロコンピュータ（以下、副マイコンという）３２と、端子３４〜３６とを備えている。副マイコン３２は、不揮発性メモリ（例えばフラッシュメモリ）３３と、ピンＰ８〜Ｐ１０とを備えている。
【００２９】
ＦＳＫ復調器３１は、本体ユニット１０に遠隔制御ユニット３０が装着されている場合に、光検出部１２から供給されるＦＳＫ変調された遠隔制御信号をＦＳＫ復調して副マイコン３２のポートＰ８に供給する。
【００３０】
副マイコン３２は、本体ユニット１０に遠隔制御ユニット３０が装着されている場合にＦＳＫ復調器３１からポートＰ８に供給される遠隔制御信号から自己のV-ONUアドレスに合致した遠隔制御コマンド（ＲＦ信号出力のＯＮ設定又はＯＦＦ設定を指示するコマンド）を抽出して不揮発性メモリ３３に格納する。
【００３１】
また、副マイコン３２は、本体ユニット１０に遠隔制御ユニット３０が装着されている場合、不揮発性メモリ３３に格納している遠隔制御コマンドを、例えばシリアル通信により、周期的にポートＰ１０から出力する。
【００３２】
次に、図４のフローチャートを参照して、本体ユニット１０に遠隔制御ユニット３０が装着されているときの主マイコン１９の概略動作について説明する。本体ユニット１０が電源ＯＮ状態になると、主マイコン１９が起動する。そして、主マイコン１９が、本体ユニット１０に遠隔制御ユニット３０が装着されていることを確認すると、図４に示すフローチャートが開始される。
【００３３】
尚、本体ユニット１０に遠隔制御ユニット３０が装着されている場合、遠隔制御ユニット３０は本体ユニット１０から電力供給を受けて電源ＯＮ状態になる。
【００３４】
また、遠隔制御ユニット３０が故障している場合であっても、本体ユニット１０に遠隔制御ユニット３０が装着されているときに主マイコン１９がその装着を正しく認識できる必要がある。例えば、端子２５と端子３５とが接続されていないときはポートＰ７に所定の電圧がかかり、端子２５と端子３５とが接続されているときはポートＰ７がグランドに落ちるようにする実施態様にすると、遠隔制御ユニット３０側で装着認識用の電圧を発生させる必要がないため、遠隔制御ユニット３０が故障している場合であっても、本体ユニット１０に遠隔制御ユニット３０が装着されているときに主マイコン１９がその装着を正しく認識できる。
【００３５】
ステップＳ１０において、主マイコン１９は、ＲＦ信号出力の設定を不揮発性メモリ２０から読み出す。尚、工場出荷時においては、不揮発性メモリ２０がＲＦ信号出力のＯＮ設定を記憶するようにしておくことが望ましい。
【００３６】
ステップＳ１０に続くステップＳ２０では、主マイコン１９は、不揮発性メモリ２０から読み出したＲＦ信号出力の設定がＯＮ設定であるか否かを判定する。
【００３７】
読み出した設定がＯＦＦ設定であれば（ステップＳ２０のＮＯ）、主マイコン１９はＯＦＦ設定を実行する、即ち、主マイコン１９は、ＲＦ信号出力を停止させる制御信号をポートＰ２から電源制御部２８に送り、アンプ１３、１５、１７及び第１ゲイン制御部１４、第２ゲイン制御部１６への電源供給をＯＦＦさせる（ステップＳ１１０）、その後後述するステップＳ４０に移行する。
【００３８】
一方、読み出した設定がＯＮ設定であれば（ステップＳ２０のＹＥＳ）、主マイコン１９はＯＮ設定を実行する、即ち、主マイコン１９は、ＲＦ信号出力を停止させる制御信号をポートＰ２から出力せず、ゲイン調整信号をポートＰ３からＤ／Ａコンバータ２１に出力する（ステップＳ３０）。V-ONU８−１〜８−ｎは、ステップＳ１０〜ステップＳ３０のように、起動時に遠隔制御ユニット３０との通信を行わずにＲＦ信号出力の設定をＯＮ設定にもっていくことができるため、電源を投入してからＲＦ信号が出力されるまでの時間（起動時間）を短くすることができる。
【００３９】
ステップＳ３０に続くステップＳ４０では、主マイコン１９は、内蔵タイマ（不図示）を用いて計時を開始する。計時開始以後、主マイコン１９は、タイムアウトしたか否か、即ち内蔵タイマによる計時時間が閾値を越えたか否かを監視する（ステップＳ５０）。
【００４０】
タイムアウトになれば（ステップＳ５０のＹＥＳ）、主マイコン１９はＯＦＦ設定を実行する、即ち、主マイコン１９は、ＲＦ信号出力を停止させる制御信号をポートＰ２から電源制御部２８に送り、アンプ１３、１５、１７及び第１ゲイン制御部１４、第２ゲイン制御部１６への電源供給を停止させる（ステップＳ８０）。
【００４１】
一方、タイムアウトになっていなければ（ステップＳ５０のＮＯ）、主マイコン１９は、遠隔制御ユニット３０から遠隔制御コマンドを受信したか否かを判定する（ステップＳ６０）。
【００４２】
遠隔制御コマンドを受信していないとの判定結果を得た場合（ステップＳ６０のＮＯ）、ステップＳ５０に戻り、タイムアウトしたか否かを監視し続ける。尚、ステップＳ５０に戻る際に、内蔵タイマによる計時時間が所定値（＜閾値）を越えていた場合に、主マイコン１９は、故障報知用ＬＥＤ２９を点灯させるための第２ＬＥＤ駆動制御信号をポートＰ５から第２ＬＥＤ駆動部４１に出力する（ステップＳ７０）。第２ＬＥＤ駆動部４１は、第２ＬＥＤ駆動制御信号に従って、故障報知用ＬＥＤ２９を駆動し、故障報知用ＬＥＤ２９を点灯させる。
【００４３】
これに対して、遠隔制御コマンドを受信したとの判定結果を得た場合（ステップＳ６０のＹＥＳ）、主マイコン１９は、遠隔制御コマンドがＲＦ信号出力のＯＮ設定を指示するものであるか否かを判定する（ステップＳ９０）。
【００４４】
遠隔制御コマンドがＲＦ信号出力のＯＮ設定を指示するものでなければ（ステップＳ９０のＮＯ）、主マイコン１９はＯＦＦ設定を実行する、即ち、主マイコン１９は、ＲＦ信号出力を停止させる制御信号をポートＰ２から電源制御部２８に送り、アンプ１３、１５、１７及び第１ゲイン制御部１４、第２ゲイン制御部１６への電源供給を停止させる（ステップＳ１１０）、その後ステップＳ４０に戻り内蔵タイマをリセットした後再び内蔵タイマによる計時を開始する。
【００４５】
一方、遠隔制御コマンドがＲＦ信号出力のＯＮ設定を指示するものであれば（ステップＳ９０のＹＥＳ）、主マイコン１９はＯＮ設定を実行する、即ち、主マイコン１９は、ＲＦ信号出力を停止させる制御信号をポートＰ２から出力せず、ゲイン調整信号をポートＰ３からＤ／Ａコンバータ２１に出力する（ステップＳ１００）。その後ステップＳ４０に戻り内蔵タイマをリセットした後再び内蔵タイマによる計時を開始する。
【００４６】
上記のような動作によると、遠隔制御ユニット３０が故障して遠隔制御ユニット３０から本体ユニット１０に遠隔制御コマンドが送信されない状態になっても、内蔵タイマによる計時時間が閾値を越える迄はＲＦ信号出力をＯＮ設定に維持することが可能となるので、遠隔制御ユニット３０が故障した途端に放送の視聴が不可能になる事態を回避することができる。したがって、遠隔制御ユニットが故障した場合に使用者が被る不利益を低減することができる。さらに、故障報知用ＬＥＤ２９の点灯により、遠隔制御ユニット３０の故障を報知することができるので、内蔵タイマによる計時時間が閾値を越える迄の間に、加入者が遠隔制御ユニット３０の故障に対して適切な対処（例えば放送サービス事業者の保守サービスの利用等）を講じることができる。これにより、遠隔制御ユニットが故障した場合に使用者が被る不利益をより一層低減することができる。
【００４７】
尚、例えば、停電などにより本体ユニット１０が電源ＯＦＦ状態になるとその時点で図４に示すフローチャートの動作が停止する。そして、本体ユニット１０が再度電源ＯＮ状態になると、図４に示すフローチャートの「開始」に戻ってフローチャートの動作を再開する。また、本体ユニット１０の主マイコン１９は、本体ユニット１０に遠隔制御ユニット３０が装着されているか否かを常時監視しており、その装着が解除されると直ちに図４に示すフローチャートの動作を停止する。
【００４８】
＜変形等＞
遠隔制御の内容は、V-ONUからのＲＦ信号出力のＯＮ／ＯＦＦに限定されることはなく、例えば、V-ONUからのＲＦ信号出力の帯域制御であってもよい。ＲＦ信号が、地上デジタル放送ＴＶ信号と、ＢＳデジタル放送ＴＶ信号及び１１０度ＣＳデジタル放送ＴＶ信号とによって構成されている場合、帯域制御を行うことにより、２つのＴＶ信号の中から任意のＴＶ信号を選択してV-ONUから出力させることができる。この場合、主マイコン１９からの指令に基づいて、アンプ１３に出力するＲＦ信号の帯域制御を行う帯域制御部を、光検出部１２に設けるようにするとよい。
【００４９】
また、V-ONU８−１〜８−ｎは、通常、加入者宅の屋外に設置されるため、故障報知用ＬＥＤ２９の点灯有無を定期的に確認することは加入者にとって煩わしい作業となる。そこで、V-ONU８−１〜８−ｎにおいて、例えば図５に示すように、第２ＬＥＤ駆動部４１及び故障報知用ＬＥＤ２９を削除し、アンプ１７と同軸ケーブル接続用コネクタ１８との間に混合器４３を設け、主マイコン１９が図４に示すステップＳ７０において、遠隔制御ユニット３０が故障している旨のＯＳＤ表示或いは音声出力をテレビ受信機に行わせるための制御コマンドをポートＰ５から出力するようにしてもよい。混合器４３はアンプ１７からの信号とポートＰ５からの制御コマンドとを混合して同軸ケーブル接続用コネクタ１８に出力する。テレビ受信機９−１〜９−ｎは、V-ONUから制御コマンドを受け取ったとき、その制御コマンドに応じて遠隔制御ユニット３０が故障している旨のＯＳＤ表示或いは音声出力を行う。
【図面の簡単な説明】
【００５０】
【図１】は、本発明に係る光受信装置を用いている光伝送システムの一概略構成例を示す図である。
【図２】は、遠隔制御ユニットが本体ユニットに装着されていない状態の本発明に係る光受信装置の一構成例を示す図である。
【図３】は、遠隔制御ユニットが本体ユニットに装着されている状態の本発明に係る光受信装置の一構成例を示す図である。
【図４】は、本体ユニットに遠隔制御ユニットが装着されているときの、本体ユニットに設けられる主マイコンの概略動作を示すフローチャートである。
【図５】は、遠隔制御ユニットが本体ユニットに装着されている状態の本発明に係る光受信装置の他の構成例を示す図である。
【符号の説明】
【００５１】
１    V-ONU遠隔制御用パソコン
２    ＦＳＫ変調器
３    混合器
４    光送信器
５    光ファイバ
６    光分岐器
７−１〜７−ｎ    光ファイバ
８−１〜８−ｎ    V-ONU
９−１〜９−ｎ    テレビ受信機
１０    本体ユニット
１１    光コネクタ
１２    光検出部
１３、１５、１７    アンプ
１４    第１ゲイン制御部
１６    第２ゲイン制御部
１８    同軸ケーブル接続用コネクタ
１９    主マイコン
２０、３３    不揮発性メモリ
２１    Ｄ／Ａコンバータ
２２    第１ＬＥＤ駆動部
２３    受光レベル表示用ＬＥＤ
２４〜２７、３４〜３６    端子
２８    電源制御部
２９    故障報知用ＬＥＤ
３０    遠隔制御ユニット
３１    ＦＳＫ復調器
３２    副マイコン
４０    電源部
４１    第２ＬＥＤ駆動部
４３    混合器
Ｐ１〜Ｐ１０    ピン
【図１】
2010034956.tif 000003
【図２】
2010034956.tif 000004
【図３】
2010034956.tif 000005
【図４】
2010034956.tif 000006
【図５】
2010034956.tif 000007